(57)【特許請求の範囲】
【請求項１】
写真フイルムの露光面に対面して設けられた写し込み開口と、
プリント基板に取り付けられて発光し、放射した光を写し込み開口を通して写真フイルムに照射してデータを写し込む発光素子と、
前記写し込み開口と発光素子とを覆い、写し込み開口に発光素子以外の光が入射しないように遮光する遮光カバーと、
遮光性と柔軟性とを有する材質で形成された遮光部材とを備え、この遮光部材に設けたリード端子用の穴に発光素子のリード端子を挿入することにより該発光素子とプリント基板との間に遮光部材を組み込み、プリント基板と遮光カバーとの間に該遮光部材を挿入して遮光を行なうデータ写し込み装置であって、
前記遮光部材は、上下面を貫通するように前記リード端子用の穴が設けられた略円板形状であり、一方のリード端子用の穴に近接する側面にリード端子の極性を表す識別用突起が設けられ、この識別用突起に合せて該リード端子を穴に挿入することを特徴とするデータ写し込み装置。
【請求項２】
前記遮光部材の上面に発光素子と当接する突起を設け、この突起により遮光部材の上下面の識別を行ない、かつ発光素子の発光部に当接させることを特徴とする請求項１記載のデータ写し込み装置。
【請求項３】
前記遮光部材のリード端子が挿入される穴の内径は、リード端子の直径よりも細くされていることを特徴とする請求項１または２記載のデータ写し込み装置。
【請求項４】
前記遮光部材のリード端子が挿入される穴は、貫通しない状態で形成されており、リード端子が挿入されることによって突き破られることを特徴とする請求項１ないし３いずれか記載のデータ写し込み装置。
【請求項５】
前記遮光部材には、発光素子の発光部が挿入されてその外周を遮光する筒部が設けられており、この筒部が遮光カバーに当接されることを特徴とする請求項１ないし４いずれか記載のデータ写し込み装置。
【請求項６】
前記遮光部材は、シリコンゴムによって成形されていることを特徴とする請求項１ないし５いずれか記載のデータ写し込み装置。
【発明の詳細な説明】
【０００１】
【発明の属する技術分野】
本発明は、データ写し込み装置に関し、更に詳しくは、外光による曝光を防止したデータ写し込み装置に関するものである。
【０００２】
【従来の技術】
近年、プリント写真の魅力や楽しみを一般のユーザーに広げるために、カメラやレンズ付きフイルムユニットで撮影された被写体の種類や大きさによって、アスペクト比の異なるプリント写真が提供されている。このようなプリント写真として、従来の標準サイズであるＣサイズプリント（８９ｍｍ×１２７ｍｍ）に加えて、横方向の長さを倍にしたパノラマプリント（８９ｍｍ×２５２ｍｍ）、ハイビジョンテレビ放送でのアスペクト比に近似させたハイビジョンプリント（８９ｍｍ×１５８ｍｍ）等が一般に知られている。
【０００３】
このような、アスペクト比の異なるプリント写真を得るために、撮影時にはフルサイズ（２４ｍｍ×３５ｍｍ）で全コマを露光するとともに、各コマの露光範囲外にプリント範囲を示す撮影データを光学的に記録しておき、プリント時にはこの撮影データを読み取って各コマを指定されたプリント範囲でプリントするようにした撮影データ写し込み装置やこれを搭載したカメラが提案されている。
【０００４】
このようなデータ写し込み装置としては、例えば特開昭５４−２６７２１号公報に記載されているように、フイルム通路の片側に発光素子として複数個のＬＥＤを設け、各コマの撮影時に写真フイルムの撮影範囲外にドット状の光学マークを写し込み、この光学マークの数により、プリント範囲を指定するものが知られている。また、例えば特開平７−８４３０９号公報に記載されているように、２個の写し込み開口を設けたフイルム圧板と、この背後にスライド自在に設けた遮光板と、この背後に設けた１個のＬＥＤとから構成され、遮光板の位置を変化させることにより、指定するプリント範囲の種類に応じて写真フイルムに写し込まれるドットパターンを変化させるものが知られている。
【０００５】
【発明が解決しようとする課題】
写真フイルムに光学的にデータを写し込むデータ写し込み装置では、誤ったデータ写し込みが行われないように、光源となる発光素子以外の光、例えば外光等が写し込み開口に入射しないようにしなければならならない。外光が写し込み開口に入射するのは、プリント基板に取り付けられた発光素子の根元部分からとなる。
【０００６】
発光素子の根元からの外光の侵入を防止するために、黒色に着色したプリント基板がある。この黒色基板は、外光がプリント基板を透過するのを防止するとともに、プリント基板の端面から入射した外光が基板の内面で反射して発光素子の根元に入射するのを防止する。また、米国特許５，５７４，５２１号公報記載の発明では、発光素子とプリント基板との間にリード端子が挿入される台座を設けたデータ写し込み装置が提案されている。この台座は、内部においてリード端子を複数カ所で折り曲げ、ピッチを広げた状態でプリント基板に取り付けることによって、発光素子を保持するとともに、外光の侵入を防止している。
【０００７】
しかしながら、上記黒色基板や、発光素子用の台座は、プリント基板を着色したり、自動機への対応が難しいことなどからコストアップしてしまうという問題がある。また、発光素子の台座は、プリント基板へ取り付けるリード端子のピッチが大きくなってしまうため、プリント基板に取り付けられる位置が限定されてしまったり、プリント基板を大型化する必要等が生じる。
【０００８】
本発明は、上記問題点を解決するためのもので、発光素子の根元部分の遮光を省コスト，省スペースに行えるデータ写し込み装置を提供する。
【０００９】
【課題を解決するための手段】
上記問題点を解決するために、本発明のデータ写し込み装置は、発光素子のリード端子を遮光性と柔軟性とを有する遮光部材に突き刺した状態でプリント基板に取り付け、遮光部材をプリント基板と遮光カバーとで挟み込んで潰すことにより発光素子の根元部分からの写し込み開口への外光の侵入を防止したものである。
また、遮光部材にリード端子の極性を表す識別用突起を設け、この識別用突起に合せてリード端子を穴に挿入している。
更に、遮光部材の上面に発光素子と当接する突起を設け、この突起により遮光部材の上下面の識別を行ない、かつ発光素子の発光部の位置を規定している。
また、遮光部材のリード端子が挿入される穴は、その内径をリード端子の直径よりも細くしてもよいし、あるいは貫通しない状態で形成しておき、リード端子を挿入することによって突き破るようにしてもよい。
更に、遮光部材に、発光素子の発光部が挿入されてその外周を遮光する筒部を設け、この筒部が遮光部材に当接されるようにしてもよい。
また、遮光部材をシリコンゴムで成形することにより、発光素子のプリント基板へのハンダ付けの作業効率を向上させたものである。
【００１０】
【発明の実施の形態】
図２は、本発明のデータ写し込み装置を組み込んだレンズ付きフイルムユニット２の外観を示すものである。レンズ付きフイルムユニット２の前面には、撮影レンズ３，対物側ファインダ窓４，ストロボ発光を行うストロボ発光部５，ストロボユニットのオン，オフの切り換えを行う充電操作部材６，ファインダの視野範囲を切り換えるファインダ切換え操作つまみ７が設けられている。
【００１１】
また、レンズ付きフイルムユニット２の上面には、シャッタボタン８，残り撮影可能枚数を表示するカウンタ窓９，ストロボ充電の完了を表示する表示用ライトガイド１０が突出される開口１１や、全ての写真フイルムの巻き上げとフイルムカートリッジの遮光蓋の閉鎖との完了を表示する表示開口１２とが設けられている。また、レンズ付きフイルムユニット２の背面側からは、１コマの撮影ごとに回転操作される巻上げノブ１３が露呈され、対物側ファインダ窓４に対面する位置に接眼側ファインダ窓１４（図３参照）が設けられている。
【００１２】
図３に示すように、レンズ付きフイルムユニット２は、写真フイルム１６と略円柱形状のカートリッジ本体１７とからなるフイルムカートリッジ１８が装填される本体部１９と、この本体部１９の前面に組み付けられる露光ユニット２０及びストロボユニット２１と、本体部１９の前面側及び背面側を覆うように組み付けられる前カバー２２及び後カバー２３とから構成されている。これらは、爪係合によって着脱自在に組み立てられる。
【００１３】
カートリッジ本体１７内には、写真フイルム１６の一端が係止されるスプール２５が回転自在に組み込まれており、更に特開平６−２６６０５３号公報で知られるようなフイルム送り出し機構が内蔵されている。また、写真フイルム１６がカートリッジ本体１７内に出入りするフイルム出入り口（図示せず）には、外部から回動されることによりフイルム出入り口を開閉する棒状の遮光蓋２６が、従来のテレンプに代わって組み込まれている。
【００１４】
写真フイルム１６には、一方の側縁に沿ってサイズの異なった大小２個のパーフォレーション２８，２９が２種類の間隔で交互に配列されている。パーフォレーション２８，２９は、各コマ３０のフイルム給送方向の先頭側と後部側とを設定するもので、レンズ付きフイルムユニット２では撮影毎に写真フイルム１６をカートリッジ本体１７内に巻き込んでいくことから、大パーフォレーション２８がフイルム給送方向の先頭側を、小パーフォレーション２９が後部側を示している。各パーフォレーション２８，２９は、コマ３０の数に対応する数だけ設けられている。
【００１５】
本体部１９の前面中央部には、前面側に組み付けられる露光ユニット２０から写真フイルム１６までの間の撮影光路を遮光する遮光筒３２が設けられている。この遮光筒３２の背面側には、写真フイルム１６への露光範囲を規定するアパーチャーが形成されている。
【００１６】
遮光筒３２の前面側には、撮影レンズ３を透過した被写体光をアパーチャーに導くための開口３４が形成されている。また、遮光筒３２の上方には、露光ユニット２０に組み込まれて写真フイルムのパーフォレーション２８，２９に噛合するスプロケットを写真フイルム１６に向けて露呈させるための開口３２ａが形成されている。遮光筒３２を挟む左右には、製造段階でカートリッジ本体１７と、ロール状に巻かれた写真フイルム１６とがそれぞれ収納される、カートリッジ室３５とフイルムロール室３６とが一体に形成されている。
【００１７】
カートリッジ室３５の上部には、巻上げノブ１３と、カートリッジ本体１７の遮光蓋２６を閉じる遮光蓋閉鎖機構３８とが組み込まれている。巻上げノブ１３は、外周にギヤが形成されており、下面に形成された駆動軸がカートリッジ本体１７のスプール２５に係合される。そして、１コマの撮影ごとに図中反時計方向に回転操作されることにより、スプール２５で写真フイルム１６を巻き上げる。遮光蓋閉鎖機構３８は、巻上げノブ１３の回転数をカウントし、写真フイルム１６が全てカートリッジ本体１７内に巻き込まれる分だけ巻上げノブ１３が回転操作されると、カートリッジ本体１７の遮光蓋２６を閉鎖するとともに、前カバー２２の表示開口１２の下に前カバー１２と異なる色の部材を移動させて写真フイルム１６の巻き上げ終了したことを表示する。
【００１８】
また、本体部１９の前面側で遮光筒３２の周囲には、写真フイルム１６にプリントサイズを表す光学マークを写し込むデータ写し込み装置が組み込まれている。このデータ写し込み装置は、前カバー２２に設けられたファインダ切換え操作つまみ７の操作によって切り換えられる。
【００１９】
露光ユニット２０は、写真フイルム１６の移送により回転されるスプロケットによってチャージされるとともに、シャッタボタン８の押下によってレリーズされるシャッタ機構と、写真フイルム１６の残り撮影可能枚数をカウントしてカウンタ窓から表示するカウンタ機構と、写真フイルム１６の１コマ分の巻き上げを検知して巻上げノブ１３の回転をロックするフイルム巻止め機構の他、撮影レンズ３やファインダ光学系４０等が一体に組み込まれてユニット化されている。フイルム巻止め機構は、写真フイルム１６の全てのコマへの撮影が終了すると、巻上げノブ１３のロックを行わなくなる。
【００２０】
また、この露光ユニット２０には、ストロボユニット２１の充電完了を表示する表示用ライトガイド１０が上下方向でスライド自在に取り付けられている。この表示用ライトガイド１０は、充電操作部材６の上方へのスライド操作に連動してレンズ付きフイルムユニット２の上面から外部に突出する。
【００２１】
ストロボユニット２１は、各種電気部品が取り付けられてストロボ回路が形成されたプリント基板４２と、このプリント基板４２に取り付けられ、放電管やリフレクタ，拡散板等からなるストロボ発光部５とからなる。プリント基板４２の下部には、ストロボユニット２１の電源として用いられる乾電池４３を保持するとともに、ストロボ回路に電気的に接続する金属接片４４が取り付けられている。また、プリント基板４２の前面側には複数の接点部４５が設けられている。これらの接点部４５の前面側には、充電操作部材６が上方のオン位置に向けてスライドされると、充電操作部材６の背面に形成された突起（図示せず）に押圧されてプリント基板４２の接点部４５に接触し、ストロボ回路にストロボ充電を行わせる金属製の充電スイッチ接片４６が配置される。
【００２２】
また、プリント基板４２には、ストロボ発光用のシンクロスイッチ４８が設けられている。このシンクロスイッチ４８は、２枚の弾性自在な金属接片からなり、シャッタボタン８の押下により開放される露光ユニット２０に組み込まれたシャッタ羽根によって一方の金属接片が押され、他方の金属接片に接触することによりオンとなる。
【００２３】
プリント基板４２の背面側には、表示用ライトガイド１０に対面して充電完了時に発光する表示用発光素子である表示用ＬＥＤ（図示せず）と、データ写し込み装置の光源となる発光素子である写し込み用ＬＥＤとが取り付けられている。写し込み用ＬＥＤは、ストロボ充電のオン・オフに関係なくシンクロスイッチ４８のオンによって発光する。
【００２４】
後カバー２３は、本体部１９の背面側に組み付けられて本体部１９内を光密に覆う。また、後カバー２３の前面側中央部には、アパーチャーに対面する写真フイルム１６の背面側を支持するフイルム支持面２３ａが形成されている。後カバー２３の下方には、カートリッジ室３５とフイルムロール室３６との下面を覆う底蓋５０，５１が設けられている。これらの底蓋５０，５１は、後カバー２３に対して屈曲自在となるように形成されている。底蓋５０は、カートリッジ室３５からフイルムカートリッジ１８を取り出す際に開放される。
【００２５】
前カバー２２は、図４に示すように、前カバー本体５３と、この前カバー本体５３の前面に取り付けられる前面パネル５４とからなり、前カバー本体５３には、前面パネル５４に形成された対物側ファインダ窓４と同形状のファインダ開口５５が形成されている。また、前カバー本体５３と前面パネル５４との間には、充電操作部材６と、視野切換板５６と、トグルバネ５７とが組み込まれる。
【００２６】
充電操作部材６は、前カバー本体５３に形成された開口５９の前面側に取り付けられ、前カバー２２から露呈されて実際に操作される操作部６０と、前カバー本体５３の前面に取り付けられる基板部６１と、前カバー本体５３の前面に形成されたスリット６２に挿入されて、表示用ライトガイド１０に一体に形成されたピン６３に係合する係合部６４とからなる。充電操作部材６は、前カバー本体５３のスリット６２に沿って上下方向でスライド自在となる。
【００２７】
基板部６１には、上下方向に延びたスリット６６が形成されており、このスリット６６には前カバー本体５３の前面に突設されたピン６７が挿入される。そして、充電操作部材６が上下方向でスライド移動すると、スリット６６の内壁面に形成された凹部がピン６７に係合し、充電操作部材６のスライド操作にクリック感を付与する。
【００２８】
操作部６０は前カバー本体５３の開口５９に対面して配置され、その背面には、上方にスライド移動された際に開口５９を通してストロボユニット２１の金属接片４６を押圧し、プリント基板４２の接点部４５に接触させる突起（図示せず）が形成されている。これにより、ストロボユニット２１は、充電操作部材６が上方にスライドされている間、連続してストロボ充電を行う。
【００２９】
表示用ライトガイド１０は、透明なプラスチックを用いて形成されており、露光ユニット２０に上下方向でスライド自在に取り付けられる取付け部６９と、充電操作部材６の係合部６４に係合するピン６３と、充電操作部材６によって上方にスライド移動された際に、プリント基板４２の背面側に取り付けられた表示用ＬＥＤに対面し、このＬＥＤの光を内面反射によってガイドしてレンズ付きフイルムユニット２外に放射させるガイド部７０とからなる。
【００３０】
視野切換板５６は、前カバー本体５３及び前面パネル５４と同じプラスチックによって略円板形状に成形されたもので、中央部分に形成された円形の開口７２が前カバー本体５３の前面に形成されたレンズ鏡筒７３の外周に嵌めこまれることにより、前カバー本体５３に回動自在に取り付けられる。トグルバネ５７は、一端に形成されたコイル部５７ａに前カバー本体５３の前面のピン７４が挿入され、他端５７ｂが視野切換板５６の穴５６ａに挿入されることにより、視野切換板５６を中間位置を挟む２方向に付勢する。
【００３１】
視野切換板５６の前面下部には、ボス７６が一体に形成されており、このボス７６は前面パネル５４の凸部７７の下方に形成された円弧形状のスリット７８に挿入される。スリット７８に挿入されたボス７６には、前面パネル５４の前面側から、ボス７６よりも大きく形成されたファインダ切換え操作つまみ７が取り付けられる。
【００３２】
視野切換板５６の外周部分には、対物側ファインダ窓４とファインダ開口５５との間で、露光ユニット２０に組み込まれたファインダ光学系４０の前方に挿脱される、切換え用ファインダ枠であるアスペクト比３．０のパノラマサイズ（Ｐサイズ）用ファインダ枠８０と、アスペクト比１．５のＣサイズ用ファインダ枠８１とが形成されている。また、これらのパノラマ用ファインダ枠８０とＣサイズ用ファインダ枠８１との間には、標準ファインダ枠である対物側ファインダ窓４と、接眼側ファインダ窓１４との間を開放する切欠部８２が形成されている。
【００３３】
本実施形態のレンズ付きフイルムユニット８０では、アスペクト比１．８のハイビジョンサイズ（Ｈサイズ）を標準サイズとしており、標準ファインダ枠である対物側ファインダ窓４は、アスペクト比１．８とされている。そのため、使用開始時のレンズ付きフイルムユニット２は、対物側ファインダ窓４に視野切換板５６の切欠部８２が対面しているため、接眼側ファインダ窓４と対物側ファインダ窓１４との間が開放され、視野範囲がＨサイズとなる。
【００３４】
また、ファインダ切換え操作つまみ７を操作して視野切換板５６を図中反時計方向に回動させると、Ｃサイズ用ファインダ枠８１が接眼側ファインダ窓４とファインダ光学系４０との間に挿入される。これにより、視野範囲がＣサイズとなる。また、ファインダ切換え操作つまみ７を操作して視野切換板５６を図中時計方向に回動させると、Ｐサイズ用ファインダ枠８０が接眼側ファインダ窓４とファインダ光学系４０との間に挿入され、視野範囲がＰサイズとなる。
【００３５】
視野切換板５６の開口７２の外周には、開口７２の中心からの距離が変化させられて屈曲した形状とされたカム溝８４が形成されている。このカム溝８４には、本体部１９に取り付けられるとともに、データ写し込み装置を構成する回動レバー８５に形成された２本のアーム部８６，８７のうち、一方のアーム部８６に形成されたピン８８が挿入される。また、カム溝８４の一方の内壁面８４ａの中央部分には、ピン８８が係合する凹部８４ｂが形成されている。
【００３６】
図５に示すように、前記回動レバー８５は、本体部１９の中央部に設けられた遮光筒３２の上方に突設されたピン９０に軸支される。回動レバー８５のアーム部８６の先端に形成されたピン８８は、露光ユニット２０のファインダ光学系４０の下方と、前カバー本体５３のファインダ開口５５に連なって形成された切欠５５ａとを通して、視野切換板５６のカム溝８４に挿入される。これにより、視野切換板５６が回動すると、カム溝８４の回動にほぼ直交する方向でピン８８が移動し、これに連動して回動レバー８５が回動する。
【００３７】
遮光筒３２の下方には、フイルム移送方向に沿って凹部９２が形成されており、この凹部９２内にはプリントサイズを示す光学マークを写真フイルム１６に写し込むための写し込み開口９３，９４が形成されている。凹部９２内には、遮光性を有する薄肉のプラスチックで形成されたマーク切換板９５が左右方向でスライド自在となるように取り付けられる。このマーク切換板９５には、特定のスライド位置で写し込み開口９３，９４を開放するための開口９５ａが形成されている。
【００３８】
マーク切換板９５の端部に形成された穴９７には、スライドレバー９８の一端に形成されたピン９９が係合する。このスライドレバー９８は、遮光筒３２の下方に左右方向でスライド自在に組み付けられる。また、スライドレバー９８の他端には、遮光筒３２の側方を回り込むようにして延設された、回動レバー８５のアーム部８７に形成されたピン１００が係合するフォーク部１０１が形成されている。これにより、マーク切り換え板９５は、回動レバー８５の回動に連動してスライドするスライドレバー９８により左右方向でスライドされる。
【００３９】
マーク切換板９５の前面側には、写し込み用ライトガイド１０３と遮光カバー１０４とが取り付けられる。写し込み用ライトガイド１０３は、透明なプラスチックによって形成されており、ストロボユニット２１のプリント基板４２の背面側に取り付けられた写し込み用ＬＥＤ１０５から放射された光を内面反射によりガイドし、写し込み開口９３，９４から写真フイルム１６に向けて光を放射する。
【００４０】
遮光カバー１０４は、写し込み開口９３，９４とマーク切換板９５と、写し込み用ライトガイドとを覆うように本体部１９に取り付けられ、レンズ付きフイルムユニット２内に侵入した外光が写し込み開口９３，９４を通って写真フイルム１６に達しないように遮光する。また、遮光カバー１０４には、写し込み用ＬＥＤ１０５から放射される光をレンズ付きフイルムユニット２内に漏らさず、更に、写し込み用ＬＥＤ１０５以外の光を写し込み用ライトガイドに入射させないために、写し込み用ＬＥＤ１０５が挿入される筒部１０７が一体に形成されている。
【００４１】
遮光カバー１０４の筒部１０７内に写し込み用ＬＥＤ１０５が収められた状態の要部断面図である図１に示すように、写し込み用ＬＥＤ１０５とプリント基板４２との間には、遮光性と柔軟性とを有する材質、例えばシリコンゴムで成形された遮光部材１０９が配置されている。この遮光部材１０９は、プリント基板４２と遮光カバー１０４の筒部１０７とで僅かに潰れるように挟み込まれることによって、写し込み用ＬＥＤ１０５の根元から筒部１０７内に外光が入射することと、写し込み用ＬＥＤ１０５の光がレンズ付きフイルムユニット２内に漏れ出ることを防止している。
【００４２】
写し込み用ＬＥＤ１０５と遮光部材１０９とは、写し込み用ＬＥＤ１０５のリード端子１０５ａ，１０５ｂを遮光部材１０９に形成された穴１０９ａ，１０９ｂに挿入し、遮光部材１０９の反対側の面から突出されたリード端子１０５ａ，１０５ｂをプリント基板４２のスルーホール４２ａ，４２ｂに挿入する。遮光部材１０９に形成された穴１０９ａ，１０９ｂの直径は、リード端子１０５ａ，１０５ｂの太さとほぼ同じ大きさとなっているが、穴１０９ａ，１０９ｂとリード端子１０５ａ，１０５ｂとの嵌合量が長いので、遮光部材１０９の穴と写し込み用ＬＥＤ１０５のリード端子との間から外光が筒部１０７に入射することはない。このように、リード端子１０５ａ，１０５ｂを折り曲げなくても適正な遮光性が得られるため遮光部材１０９を小さくすることができるので、プリント基板４２の小型性を維持できる。
【００４３】
また、遮光部材１０９の写し込み用ＬＥＤ１０５を支持する上面１０９ｃには、プリント基板４２に対する写し込み用ＬＥＤ１０５の高さ規制と、遮光部材１０９の上下の識別とを行うための突起１１１が一体に形成されている。
【００４４】
更に、遮光部材１０９の側面には、遮光部材１０９が取り付けられた写し込み用ＬＥＤ１０５をプリント基板４２に取り付ける際に、写し込み用ＬＥＤ１０５の極性を識別するための識別用突起１１２が一体に形成されている。写し込み用ＬＥＤ１０５を遮光部材１０９に取り付ける際には、写し込み用ＬＥＤ１０５の長い方のリード端子、例えばリード端子１０５ａを識別用突起１１２が設けられている側の穴１０９ａに挿入する。これにより、識別用突起１１２によって写し込み用ＬＥＤ１０５の極性を確かめてプリント基板４２に取り付けることができる。
【００４５】
更に、シリコンゴムは熱に強いため、遮光部材１０９がリード端子１０５ａ，１０５ｂに取り付けられた状態で写し込み用ＬＥＤ１０５をディップハンダを用いてプリント基板４２に取り付けることができる。これにより、写し込み用ＬＥＤ１０５も自動機によって他の電気部品と一緒にプリント基板４２にハンダ付けすることができるので、遮光部材１０９を用いていない場合と同じ製造効率を確保することができる。また、シリコンゴムは温度や湿度の変化に対する経時変化が少ないので、ストロボユニット２１のリユース適正を悪化させることはない。
【００４６】
また、遮光部材１０９を柔軟な材質で成形することにより、本体部１９と前カバー２２との間での組み付け精度にバラツキがあっても、遮光部材１０９によって吸収することができ、レンズ付きフイルムユニット２に振動や衝撃が与えられた場合でも遮光性が維持することができる。更に、遮光部材１０９がクッションの役目も果たすため、写し込み用ＬＥＤ１０５を衝撃から保護することもでき、ストロボユニット２１のリユース得率を向上させることができる。
【００４７】
図５に示すように、スライドレバー９８は、遮光カバー１０４の前面側に左右方向でスライド自在に取り付けられる。また、一端が遮光カバー１０４に掛けられたコイルバネ１１４の他端がピン１１５に掛けられることにより、スライドレバー９８は図中右方に向けて付勢される。これにより、回動レバー８５のアーム部８６のピン８８が、視野切換板５６のカム溝８４の内壁面に常に接触するようになり、視野切換板５６の回動を確実にマーク切り換え板９５に伝達することができる。
【００４８】
図６に示すように、切欠８２が対物側ファインダ窓４に対面してファインダ視野がＨサイズとなるようにファインダ切換え操作つまみ７を操作すると、コイルバネ１１４によって図中反時計方向に付勢された回動レバー８５のピン８８がカム溝８４の一方の内壁面８４ａに形成された凹部８４ｂに係合する。これにより、ファインダ切換え操作つまみ７にクリック感が与えられるとともに、ファインダ視野がＨサイズとなる位置で視野切換板５６が位置決めされる。
【００４９】
回動レバー８５のピン８８が凹部８４ｂに係合すると、回動レバー８５によってスライドされたスライドレバー９８がマーク切換板９５をスライドさせる。この時に、マーク切換板９５は写し込み開口９３，９４を両方とも塞ぐため、写真フイルム１６には光学マークが写しこまれない。
【００５０】
また、Ｃサイズ用ファインダ枠８１が対物側ファインダ窓４に対面してファインダ視野がＣサイズとなるようにファインダ切換え操作つまみ７を操作すると、視野切換板５６はトグルバネ５７によって図中反時計方向に付勢され、ファインダ視野がＣサイズとなる位置で位置決めされる。この際には、マーク切換板９５は図中左方に移動され、開口９５ａが開口９３に合致する。これにより、写し込み用開口９３，９４が両方とも開放されるので、写真フイルム１６には２個の光学マークが写し込まれる。
【００５１】
更に、Ｐサイズ用ファインダ枠８０が対物側ファインダ窓４に対面してファインダ視野がＰサイズとなるようにファインダ切換え操作つまみ７を操作すると、視野切換板５６はトグルバネ５７によって図中時計方向に付勢され、ファインダ視野がＰサイズとなる位置で位置決めされる。マーク切換板９５は図中右方に移動され、開口９５ａが写し込み用開口９４に合致し、一方の写し込み開口９３を塞ぐ。これにより、写真フイルム１６には、１個の光学マークが写し込まれる。
【００５２】
次に上記実施形態の作用について説明する。図２に示すレンズ付きフイルムユニット２は、搬送される本体部１９に、別の組立ラインで組み立てられた露光ユニット２０，ストロボユニット２１が取り付けられる。また、フイルムカートリッジ１８が本体部１９に装填されると、後カバー２３が本体部１９の後ろに取り付けられ、前カバー２２が本体部１９の前に組み付けられる。
【００５３】
ストロボユニット２１の組立ラインでは、写し込み用ＬＥＤ１０５のリード端子１０５ａ，１０５ｂがシリコンゴムで成形された遮光部材１０９の穴１０９ａ，１０９ｂに挿入される。このリード端子１０５ａ，１０５ｂの挿入の際には、長い方のリード端子、例えばリード端子１０５ａを遮光部材１０９の識別用突起１１２側の穴１０９ａに挿入する。これにより、写し込み用ＬＥＤ１０５のリード端子の長さを確かめなくても容易に写し込み用ＬＥＤ１０５の極性を確認することができ、間違うことなくプリント基板４２にセットすることができる。
【００５４】
また、遮光部材１０９は、熱に強いシリコンゴムで成形されているので、他の電気部品と一緒にディップハンダでプリント基板４２にハンダ付けすることができ、ストロボユニット２１の製造効率を向上させることができる。
【００５５】
完成したレンズ付きフイルムユニット２は、機能検査を経た後に防湿袋に収められて出荷される。レンズ付きフイルムユニット２を購入したユーザーは、図２に示すレンズ付きフイルムユニット２の巻上げノブ１２を回転操作してフイルム巻き上げ操作を行う。巻上げノブ１２の回転によって、図３に示すカートリッジ本体１７のスプール２５が写真フイルム１６を巻き付けながら回転し、これに伴い露光ユニット２０のシャッタ機構でシャッタチャージが行われる。ユーザーは、撮影したいプリントサイズに合わせてファインダ切換え操作つまみ７をスライド操作する。
【００５６】
ファインダ切換え操作つまみ７をスライド操作すると、図４に示すように、ファインダ切換え操作つまみ７に連結された視野切換板５６が前カバー本体５３と前面パネル５４との間で、撮影レンズ３の周りを回動する。図示していないが、ファインダ切換え操作つまみ７が移動するスリット７８の外側には、ファインダ切換え操作つまみ７を合致させる３種類の指標（Ｈサイズ，Ｐサイズ，Ｃサイズ）が設けられており、ファインダ切換え操作つまみ７をいずれかの指標に合わせると視野切換板５６が位置決めされ、視野切換板５６の外周部に形成されたＰサイズ用ファインダ枠８０、あるいは、Ｃサイズ用ファインダ枠８１、または切欠８２のいずれかが対物側ファインダ窓４に対面して視野範囲を切り換える。
【００５７】
また、視野切換板５６の回動に連動し、カム溝８４に係合した回動レバー８５が回動する。例えば、ファインダ切換え操作つまみ７を図６に示すＨサイズから、図中反時計方向のＣサイズに向けて回動操作すると、視野切換板５６のＣサイズ用ファインダ枠８１が対物側ファインダ窓４に対面して、視野範囲の形状がＣサイズとなる。
【００５８】
視野切換板５６の回転により、カム溝８４に係合された回動レバー８５は図中時計方向に回動し、これに連動してスライドレバー９８が図中左方にスライドされる。マーク切換板９５は、開口９５ａが写し込み開口９３に対面するため、写し込み開口９３，９４は両方とも開放される。
【００５９】
上記状態で、本体部１９と前カバー２２との間に外光が入射してしまう場合があるが、写し込み用ＬＥＤ１０５のリード端子１０５ａ，１０５ｂに取り付けられた遮光部材１０９が、遮光カバー１０４の筒部１０７とプリント基板４２とで挟まれて僅かに潰れている。これにより、写し込み用ＬＥＤ１０５の根元部分から遮光カバー１０４に外光が入射することはない。
【００６０】
ストロボを使用せずに撮影を行う場合には、そのままファインダでフレーミングを行ってシャッタボタン８を押下する。すると、露光ユニッ２０９のシャッタ機構がレリーズ動作し、これに連動してストロボユニット２１のシンクロスイッチ４８がオンする。シンクロスイッチ４８がオンすると、ストロボの使用の如何にかかわらず写し込み用ＬＥＤ１０５が一定時間点灯する。
【００６１】
写し込み用ＬＥＤ１０５から放射された光は、筒部１０７を内を通って写しこみ用ライトガイド１０３に入射する。写しこみ用ライトガイド１０３に入射した光は、写しこみ用ライトガイド１０３内で反射されて、マーク切換板９５，写し込み開口９３，９４を介して写真フイルム１６に到達し、写真フイルム１６の光学マークを露光する。なお、写し込み用ＬＥＤ１０５から放射された光は、遮光カバー１０４の筒部１０７と遮光部材１０９との遮光により、レンズ付きフイルムユニット２内に漏れ出ることはなく、写し込み用ＬＥＤ１０５の光がレンズ付きフイルムユニット２内の隙間からフイルム通路内に入って写真フイルム１６を曝光させることはない。
【００６２】
上記実施形態では、遮光カバー１０４に写し込み用ＬＥＤ１０５が挿入される筒部１０７を設けたが、図７に示すように、シリコンゴムで成形された遮光部材１２０に写し込み用ＬＥＤ１０５が挿入される筒部１２１を設け、この筒部１２１の先端部分を遮光カバー１２２に押しつけるようにすることもできる。これによれば、遮光部材１２０によって写し込み用ＬＥＤ１０５の根元，側方からの光を遮光することができ、写し込み用ＬＥＤ１０５の高さや傾きの規制も容易に行えるようになる。
【００６３】
リード端子１０５ａ，１０５ｂと遮光部材１２０との嵌合量が少なくなる場合には、図８に示すように、遮光部材１２０の穴１２０ａ，１２０ｂの直径φＡを写し込み用ＬＥＤ１０５のリード端子１０５ａ，１０５ｂの直径φＢよりも小さくする。これによれば、遮光部材１２０の穴１２０ａ，１２０ｂの内壁が弾性によってリード端子１０５ａ，１０５ｂに密着するため、遮光部材１２０の穴と写し込み用ＬＥＤ１０５のリード端子との間から外光が入射することはない。
【００６４】
また、図９に示すように、遮光部材１２５の穴１２５ａ，１２５ｂを完全に貫通させずに、薄肉部１２６ａ，１２６ｂが残るように成形し、この薄肉部１２６ａ，１２６ｂを写し込み用ＬＥＤ１０５のリード端子１０５ａ，１０５ｂによって破るようにしてもよい。これによれば、薄肉部１２６ａ，１２６ｂが弾性を有するバリとなってリード端子１０５ａ，１０５ｂに密着するため、遮光部材１２５の穴と写し込み用ＬＥＤ１０５のリード端子との間から外光が入射することはない。
【００６５】
また、写し込み用ＬＥＤ１０５のプリント基板４２へのハンダ付けにディップハンダを用いない場合には、図１０に示すように、板状のモルトプレイン１３０を遮光カバー１３１の筒部１３２とプリント基板４２との間に挟み込んで遮光部材としてもよい。また、モルトプレインの代わりに、粘土等の遮光性と柔軟性とを有する他の材料を用いることもできる。
【００６６】
更に、上記実施形態はフイルムカートリッジを用いるレンズ付きフイルムユニットを例い説明したが、１３５タイプの写真フイルムを用いるレンズ付きフイルムユニットにも用いることができる。また、レンズ付きフイルムユニット以外に、カメラに用いることもできる。
【００６７】
【発明の効果】
以上説明したように、本発明のデータ写し込み装置によれば、遮光部材を柔軟な材質で成形するようにしたので、プリント基板と遮光カバーとの間に寸法のバラツキ等があっても確実に遮光を行うことができる。また、リード端子を折り曲げなくてもよく、遮光部材が小さくて済むため、ローコスト，省スペースにプリント基板に取り付けることができる。更に、遮光部材が柔軟であるため振動や衝撃が与えられても遮光を維持でき、発光素子を保護することもできる。
【００６８】
また、遮光部材を熱に強いシリコンゴムで成形したので、発光素子をディップハンダを使ってプリント基板に取り付けることができ、製造効率を向上させ、とコストダウンすることができる。
【図面の簡単な説明】
【図１】本発明のデータ写し込み装置の写し込み用ＬＥＤ付近の構成を示す要部断面図である。
【図２】本発明のデータ写し込み装置が組み込まれたレンズ付きフイルムユニットの外観を示す斜視図である。
【図３】レンズ付きフイルムユニットの構成を示す分解斜視図である。
【図４】前カバーの構成を示す分解斜視図である。
【図５】データ写し込み装置の構成を示す分解斜視図である。
【図６】データ写し込み装置の構成を示す正面概略図である。
【図７】本発明の別の実施形態のデータ写し込み装置の写し込み用ＬＥＤ付近の構成を示す要部断面図である。
【図８】別の実施形態の遮光部材と写し込み用ＬＥＤとの寸法差を示す説明図である。
【図９】別の実施形態の異なる穴形状を用いた遮光部材を示す断面図である。
【図１０】更に別の実施形態のデータ写し込み装置の写し込み用ＬＥＤ付近の構成を示す要部断面図である。
【符号の説明】
２  レンズ付きフイルムユニット
１６  写真フイルム
１９  本体部
２０  露光ユニット
２１  ストロボユニット
４２  プリント基板
１０３  写し込み用ライトガイド
１０４  遮光カバー
１０５  写し込み用ＬＥＤ
１０９，１２０，１２５，１３１  遮光部材
【図１】
0003824399.tif 000002
【図２】
0003824399.tif 000003
【図３】
0003824399.tif 000004
【図４】
0003824399.tif 000005
【図５】
0003824399.tif 000006
【図６】
0003824399.tif 000007
【図７】
0003824399.tif 000008
【図８】
0003824399.tif 000009
【図９】
0003824399.tif 000010
【図１０】
0003824399.tif 000011